(57)【要約】【課題】有線イヤホンとの互換性を実現する方法及び装置を提供する。【解決手段】かかる方法は、イヤホンプラグの類型を判断するステップ（３０１）、及び、前記イヤホンプラグの類型に基づいて、前記イヤホンプラグの類型に対応する経路を連通させるよう経路スイッチを制御するステップ（３０２）を含む。本発明の実施例による方法及び装置により、端末装置に、２種類の異なる標準のイヤホンとの互換性を持たせることができる。【選択図】図３
2013516808.tif 000002
【特許請求の範囲】
【請求項１】
有線イヤホンとの互換性を実現する方法であって、
イヤホンプラグの類型を判断し、及び
前記イヤホンプラグの類型に基づいて、前記イヤホンプラグの類型に対応する経路を連通させるよう経路スイッチを制御するステップを含むことを特徴とする方法。
【請求項２】
イヤホンプラグの類型を判断するステップは、
前記イヤホンプラグに接続される検出点の電圧値を検出し、及び
前記検出点の電圧値が予め設定された初期状態の電圧値と同じであれば、前記イヤホンプラグの類型が前記初期状態に対応するイヤホンプラグの類型であると確定するステップを含む、
ことを特徴とする請求項１に記載の方法。
【請求項３】
前記イヤホンプラグの類型に基づいて、前記イヤホンプラグの類型に対応する経路を連通させるよう経路スイッチを制御するステップは、
前記イヤホンプラグの類型に基づいて、経路制御信号を生成し、及び
前記経路制御信号に基づいて、前記イヤホンプラグの経路を連通させるステップを含む、
ことを特徴とする請求項２に記載の方法。
【請求項４】
前記検出点の電圧値が予め設定された初期状態の電圧値と同じでなければ、前記イヤホンプラグの類型が前記初期状態に対応するイヤホンプラグの類型でないと確定する、
ことを特徴とする請求項２に記載の方法。
【請求項５】
前記イヤホンプラグの類型に基づいて、前記イヤホンプラグの類型に対応する経路を連通させるよう経路スイッチを制御するステップは、
前記イヤホンプラグの類型に基づいて、経路制御信号を生成し、及び
前記経路制御信号に基づいて、前記イヤホンプラグの経路を切り替えるステップを含む、
ことを特徴とする請求項４に記載の方法。
【請求項６】
イヤホンプラグの類型を判断するステップは、
前記イヤホンプラグに接続される検出点の電圧値を検出し、及び
前記検出点の電圧値と、予め設定された、電圧値とイヤホンプラグの類型との対応関係とに基づいて、前記イヤホンプラグの類型を確定するステップを含む、
ことを特徴とする請求項１に記載の方法。
【請求項７】
前記イヤホンプラグの類型に基づいて、前記イヤホンプラグの類型に対応する経路を連通させるよう経路スイッチを制御するステップは、
前記イヤホンプラグの類型に基づいて、経路制御信号を生成し、及び
前記経路制御信号に基づいて、前記イヤホンプラグの経路を連通させるステップを含む、
ことを特徴する請求項６に記載の方法。
【請求項８】
有線イヤホンとの互換性を実現する装置であって、
イヤホンプラグの類型を判断するための判断ユニットと、
前記イヤホンプラグの類型に基づいて、前記イヤホンプラグの類型に対応する経路を連通させるよう経路スイッチを制御するための連通ユニットと、
前記連通ユニットの制御に基づいて、前記イヤホンプラグの類型に対応する経路を連通させるための前記経路スイッチと、を含む、
ことを特徴とする装置。
【請求項９】
前記判断ユニットは、
前記イヤホンプラグに接続される検出点の電圧値を検出するための検出モジュールと、
前記検出点の電圧値と予め設定された初期状態の電圧値とを比較するための比較モジュールと、
前記比較モジュールにより、前記検出点の電圧値と予め設定された初期状態の電圧値とが同じであるとの比較結果を得たときに、前記イヤホンプラグの類型が前記初期状態に対応するイヤホンプラグの類型であると確定するための確定モジュールと、を含む、
ことを特徴とする請求項８に記載の装置。
【請求項１０】
前記連通ユニットは、
前記イヤホンプラグの類型に基づいて、経路制御信号を生成するための生成モジュールと、
前記経路制御信号に基づいて、前記イヤホンプラグの経路を連通させるための連通モジュールと、を含む、
ことを特徴とする請求項９に記載の装置。
【請求項１１】
前記確定モジュールは、さらに、前記比較モジュールにより、前記検出点の電圧値と予め設定された初期状態の電圧値とが同じでないとの比較結果を得たときに、前記イヤホンプラグの類型が前記初期状態に対応するイヤホンプラグの類型でないと確定するために用いられる、
ことを特徴とする請求項９に記載の装置。
【請求項１２】
前記連通ユニットは、
前記イヤホンプラグの類型に基づいて、経路制御信号を生成するための生成モジュールと、
前記経路制御信号に基づいて、前記イヤホンプラグの経路を切り替えるための切り替えモジュールと、を含む、
ことを特徴とする請求項１１に記載の装置。
【請求項１３】
前記判断ユニットは、
前記イヤホンプラグに接続される検出点の電圧値を検出するための検出モジュールと、
前記検出点の電圧値と、予め設定された電圧値とイヤホンプラグの類型との対応関係と、を比較するための比較モジュールと、
前記比較モジュールの比較結果に基づいて、前記イヤホンプラグの類型を確定するための確定モジュールと、を含む、
ことを特徴とする請求項８に記載の装置。
【請求項１４】
前記連通ユニットは、
前記イヤホンプラグの類型に基づいて、経路制御信号を生成するための生成モジュールと、
前記経路制御信号に基づいて、前記イヤホンプラグの経路を連通させるための連通モジュールと、を含む、
ことを特徴とする請求項１３に記載の装置。
【請求項１５】
端末装置であって、
請求項８乃至１４の何れか１項に記載の有線イヤホンとの互換性を実現する装置と、含む、
ことを特徴する端末装置。
【発明の詳細な説明】
【技術分野】
【０００１】
本発明は、イヤホンジャックに関し、特に、有線イヤホンとの互換性を実現する方法及び装置に関する。
【０００２】
なお、本出願は、２００９年１２月３０日に中国特許局に提出した、出願番号が２００９１０２４９５８６．４である、発明の名称が“有線イヤホンとの互換性を実現する方法及び装置”である中国特許出願の優先権を主張し、その全ての内容は本出願に引用により援用される。
【背景技術】
【０００３】
今のところ、多くの端末装置、例えば、コンピュータ、携帯電話、ＭＰ３、ＭＰ４、ＰＳＰなどには、イヤホンを挿入するためのイヤホンジャックがあり、これにより、上述の端末装置に記憶のオーディオファイルは、イヤホンで再生される。
【０００４】
本発明の実現過程では、発明者が、イヤホンプラグの構造及びサイズが同じであるが、イヤホンが当面、２種類のインターフェース標準を有し、上述の端末装置が一般的に１種類のインターフェース標準のイヤホンのみをサポートできるということを見つけ出した。図１は、従来のイヤホンプラグの構造を示す図である。図１に示すように、そのうち１種類の標準のイヤホンは、チップが左チャンネルに接続され、リング１が右チャンネルに接続され、リング２がマイクロホンに接続され、尾端（スリーブ）が信号回路に接続され、他の種類の標準のイヤホンは、チップが左チャンネルに接続され、リング１が右チャンネルに接続され、リング２が信号回路に接続され、尾端がマイクロホンに接続される。図２は、従来の端末装置のイヤホンジャックの配線を示す図である。図２に示すように、１は左チャンネルに接続され、２は右チャンネルに接続され、３はマイクロホン又は信号回路に接続され、４は信号回路又はマイクロホンに接続され、５は外殻に接続される。図１及び図２から分かるように、端末装置のイヤホンジャックの定義とイヤホンプラグの定義とが異なる時に、即ち、イヤホンプラグのマイクロホン（ＭＩＣ）が端末装置の信号回路（ＧＮＤ）に接続され、イヤホンプラグの信号回路（ＧＮＤ）が端末装置のマイクロホン（ＭＩＣ）に接続される時に、次の２種類の状況を引き起こすおそれがある。
【０００５】
１、イヤホンの左右の音量が小さくなり、且つ歪みが発生する。
【０００６】
２、イヤホンのマイクロホンが機能しない。
【発明の概要】
【発明が解決しようとする課題】
【０００７】
本発明の実施例は、端末装置が２種類の異なる標準のイヤホンと互換性がないという技術問題を解決するために、有線イヤホンとの互換性を実現する方法及び装置を提供する。
【課題を解決するための手段】
【０００８】
一側面では、本発明の実施例は、有線イヤホンとの互換性を実現する方法を提供する。前記方法は、イヤホンプラグの類型を判断し、及び、前記イヤホンプラグの類型に基づいて、前記イヤホンプラグの類型に対応する経路を連通させるよう経路スイッチを制御するステップを含む。
【０００９】
他の側面では、本発明の実施例は、有線イヤホンとの互換性を実現する装置を提供する。前記装置は、イヤホンプラグの類型を判断するための判断ユニットと、前記イヤホンプラグの類型に基づいて、前記イヤホンプラグの類型に対応する経路を連通させるよう経路スイッチを制御するための連通ユニットと、前記連通ユニットの制御に基づいて、前記イヤホンプラグの類型に対応する経路を連通させるための経路スイッチと、を含む。
【００１０】
もう一つの側面では、本発明の実施例は、端末装置も提供する。前記端末装置は、前述の、有線イヤホンとの互換性を実現する装置を含む。
【００１１】
本発明の実施例による方法及び装置により、端末装置に、２種類の異なる標準のイヤホンとの互換性を持たせることができる。
【図面の簡単な説明】
【００１２】
ここで説明する図面は、本発明への更なる理解のために提供されるものであり、本出願の一部を構成するが、本発明を限定するものでない。
【図１】従来のイヤホンプラグの構造を示す図である。
【図２】従来の端末装置のイヤホンジャックの配線を示す図である。
【図３】本発明の実施例による方法のフローチャートである。
【図４】本発明の実施例による方法においてイヤホンプラグの類型を判断する一つの実施例のフローチャートである。
【図５】本発明の実施例による方法においてイヤホンプラグの類型を判断するもう一つの実施例のフローチャートである。
【図６Ａ】本発明の実施例による装置の構成ブロック図である。
【図６Ｂ】本発明の実施例による装置の構成ブロック図である。
【図７】端末装置のイヤホンジャック回路の回路図である。
【図８】端末装置のイヤホンジャックピン回路の回路図である。
【図９】端末装置の比較回路の回路図である。
【図１０】端末装置の切り替え回路の回路図である。
【図１１】本発明の実施例による端末装置の構成ブロック図である。
【発明を実施するための形態】
【００１３】
本発明の目的、技術案、及び利点をより明らかにするために、以下、実施形態及び図面を参照しながら、本発明をより詳細に説明する。なお、本発明の例示的な実施形態及びその説明は、本発明を解釈するためのものであるが、本発明を限定するものでない。
【００１４】
図３は、本発明の実施例による、有線イヤホンとの互換性を実現する方法のフローチャートである。該方法は、イヤホンジャックを有する端末装置に応用され得る。図３を参照する。該方法は、次のステップを含む。
【００１５】
３０１：イヤホンプラグの類型を判断する。
【００１６】
本実施例では、イヤホンプラグの類型は、イヤホンプラグのインターフェース標準であり、今のところ、背景技術に述べたように２種類があるが、本実施例は、これに限定されず、技術の発展に伴い、本実施例による方法は、イヤホンプラグの類型が多種類である場合にも適用される。
【００１７】
本実施例では、イヤホンプラグは、端末装置のイヤホンジャックに挿入され、端末装置としては、そのイヤホンジャックに挿入されているイヤホンプラグの類型を判断する必要がある。本実施例では、イヤホンプラグの類型を判断する方法としてはたくさんあり、他の実施例に具体的に紹介されるが、本実施例は、これに限定されない。
【００１８】
３０２：イヤホンプラグの類型に基づいて、前記イヤホンプラグの類型に対応する経路を連通させるよう経路スイッチを制御する。
【００１９】
本実施例では、イヤホンプラグの類型（インターフェース標準）は異なり、イヤホンプラグの各部分に対応する端末装置の経路も異なる。チップが左チャンネルに接続され、リング１が右チャンネルに接続され、リング２がマイクロホンに接続され、尾端が信号回路に接続されるイヤホンプラグについては、本実施例の方法により、端末装置のＬ／Ｒ／Ｍ／ＧＮＤの経路を連通させる必要がある。チップが左チャンネルに接続され、ラング１が右チャンネルに接続され、リング２が信号回路に接続され、尾端がマイクロホンに接続されるイヤホンプラグについては、本実施例の方法により、端末装置のＬ／Ｒ／ＧＮＤ／Ｍの経路を連通させる必要がある。
【００２０】
本実施例では、イヤホンプラグの類型の判断方法の違いに基づいて、前記イヤホンプラグの類型に対応する経路を連通させるための異なる方法を採用しており、これも、他の実施例に説明される。
【００２１】
本実施例の方法により、端末装置に、各種類の異なる標準のイヤホンとの互換性を持たせることができる。これにより、イヤホンの標準が異なることによる、イヤホンの左右の音量が小さくなり、歪みが発生し、及び、イヤホンのマイクロホンが機能しないといった問題を避けることができる。
【００２２】
図４は、本発明の実施例による、有線イヤホンとの互換性を実現する方法において、イヤホンプラグの類型を判断する一つの実施例のフローチャートである。図４を参照する。該方法は、次のステップを含む。
【００２３】
４０１：イヤホンプラグに接続される検出点の電圧値を検出する。
【００２４】
４０２：前記検出点の電圧値と予め設定された初期状態の電圧値とを比較する。
【００２５】
４０３：前記検出点の電圧値と予め設定された初期状態の電圧値とが同じであれば、前記イヤホンプラグの類型が前記初期状態に対応するイヤホンプラグの類型であると確定する。
【００２６】
４０４：前記検出点の電圧値と予め設定された初期状態の電圧値とが同じでなければ、前記イヤホンプラグの類型が前記初期状態に対応するイヤホンプラグの類型でないと確定する。
【００２７】
本実施例では、前記検出点の電圧値と予め設定された初期状態の電圧値とが同じであれば、前記イヤホンプラグの類型に基づいて、前記イヤホンプラグに対応する経路を連通させるよう経路スイッチを制御することは、次のステップを含んでもよい。
【００２８】
４０５：前記イヤホンプラグの類型に基づいて、経路制御信号を生成する。
【００２９】
４０６：前記経路制御信号に基づいて、前記イヤホンプラグに対応する経路を連通させる。
【００３０】
本実施例では、前記検出点の電圧値と予め設定された初期状態の電圧値とが同じでなければ、前記イヤホンプラグの類型に基づいて、前記イヤホンプラグに対応する経路を連通させるよう経路スイッチを制御することは、次のステップを含んでもよい。
【００３１】
４０７：前記イヤホンプラグの類型に基づいて、経路制御信号を生成する。
【００３２】
４０８：前記経路制御信号に基づいて、前記イヤホンプラグの経路を切り替える。
【００３３】
本実施例では、初期状態の電圧値を予め設置しても良く、かつ、該初期状態の電圧値に従って１種類のイヤホンプラグに対応する経路を予め設定してもよい。本実施例の方法により、検出点の電圧値と予め設定された初期状態の電圧値とが同じであると検出した時に、イヤホンジャックに挿入されているイヤホンプラグが予め設置された初期状態に対応するイヤホンプラグの類型と同じであることを意味し、この時は、経路スイッチに一つの所定の状態値を与えることで、該経路スイッチにより、該初期状態に対応するイヤホンプラグの類型に対応するイヤホンプラグの経路を連通させることができる。本実施例の方法により、検出点の電圧値と予め設定された初期状態の電圧値とが同じでないと検出した時に、即ち、検出点の電圧値が予め設定された初期状態の電圧値に対して変化していると検出した時に、イヤホンジャックに挿入されているイヤホンプラグが予め設置された初期状態に対応するイヤホンプラグの類型と同じでないことを意味し、この時は、経路スイッチにもう一つの所定の状態値を与えることで、例えば、経路スイッチを反転させることで、経路スイッチにより、前記初期状態に対応するイヤホンプラグの類型に対応するイヤホンプラグの経路を切り替えることができる。
【００３４】
本実施例では、経路スイッチは単極双投スイッチであってもよいが、本実施例はこれに限定されない。該経路スイッチは、検出された状態の違い、即ち、受信した経路制御信号に基づいて、イヤホンプラグの経路がＬ／Ｒ／Ｍ／ＧＮＤ又はＬ／Ｒ／ＧＮＤ／Ｍであるよう制御する。
【００３５】
本実施例の方法により、端末装置に、２種類の異なる標準のイヤホンプラグとの互換性を持たせることができ、これにより、標準が異なって対応する経路が一致しないことによる、イヤホンの使用過程における問題を避けることができる。
【００３６】
図５は、本発明の実施例による、有線イヤホンとの互換性を実現する方法において、イヤホンプラグの類型を判断するもう一つの実施例のフローチャートである。図５を参照する。該方法は、次のステップを含む。
【００３７】
５０１：前記イヤホンプラグに接続される検出点の電圧値を検出する。
【００３８】
５０２：前記検出点の電圧値と、予め設定された電圧値とイヤホンプラグの類型との対応関係とを比較する。
【００３９】
５０３：前記検出点の電圧値と、予め設定された電圧値とイヤホンプラグの類型との対応関係とに基づいて、前記イヤホンプラグの類型を確定する。
【００４０】
本実施例では、上述の方法によりイヤホンプラグの類型を確定した後に、前記イヤホンプラグの類型に基づいて、前記イヤホンプラグの類型に対応する経路を連通させるよう経路スイッチを制御することは、次のステップを含んでもよい。
【００４１】
５０４：前記イヤホンプラグの類型に基づいて、経路制御信号を生成する。
【００４２】
５０５：前記経路制御信号に基づいて、前記イヤホンプラグの経路を連通させる。
【００４３】
本実施例では、電圧値とイヤホンプラグの類型との対応関係を予め設定してもよく、そして、検出された電圧値に基づいて、該イヤホンプラグの類型を確定する。ここで、電圧値は、電圧値の範囲であってもよく、例えば、範囲１を第一種類の標準に対応させるように設定し、範囲２を第二種類の標準に対応させるように設定し、範囲３を第三種類の標準に対応させるように設定するイヤホンについては、検出された電圧値が範囲２に位置する時に、該イヤホンが第二種類の標準に属すると確定する。
【００４４】
本実施例では、各種類の標準のイヤホンは１種類の経路に対応し、本実施例の方法により、イヤホンプラグの類型を確定した後に、これに基づいて経路制御信号を生成することができる。例えば、第一種類の標準のイヤホンが経路Ａに対応し、第二種類の標準のイヤホンが経路Ｂに対応し、第三種類の標準のイヤホンが経路Ｃに対応すれば、前述の検出及び比較によって該イヤホンが第二種類の標準に属するので、本実施例の方法により、生成された経路制御信号は、経路Ｂに切り替えるものである。
【００４５】
本実施例では、上述の経路制御信号を取得していると、経路スイッチは、対応する経路、例えば、前述の例の中の経路Ｂを連通させることができる。
【００４６】
本実施例の方法により、端末装置に、２種類以上の異なる標準のイヤホンプラグとの互換性を持たせることができ、これにより、標準が異なって経路が一致しないことによる、イヤホンの使用過程における問題を避けることができる。
【００４７】
図６Ａ及び図６Ｂは、本発明の実施例による、有線イヤホンとの互換性を実現する装置の構成ブロック図である。該装置は、イヤホンジャックを有する端末装置に応用されてもよい。図６Ａ及び図６Ｂを参照する。該装置は、
イヤホンプラグの類型を判断するための判断ユニット６１と、
前記イヤホンプラグの類型に基づいて、前記イヤホンプラグの類型に対応する経路を連通させるよう経路スイッチを制御するための連通ユニット６２と、
前記連通ユニット６２の制御に基づいて、前記イヤホンプラグの類型に対応する経路を連通させるための経路スイッチ６３と、を含む。
【００４８】
本実施例の一つの実施形態により、図６Ａに示すように、該判断ユニット６１は、
前記イヤホンプラグに接続される検出点の電圧値を検出するための第一検出モジュール６１１と、
前記検出点の電圧値と、予め設定された初期状態の電圧値とを比較するための第一比較モジュール６１２と、
前記第一比較モジュール６１２により、前記検出点の電圧値と予め設定された初期状態の電圧値とが同じであるとの比較結果を得た時に、前記イヤホンプラグの類型が前記初期状態に対応するイヤホンプラグの類型であると確定するための第一確定モジュール６１３と、を含んでもよい。
【００４９】
該実施形態により、連通ユニット６２は、
前記イヤホンプラグの類型に基づいて、経路制御信号を生成するための第一生成モジュール６２１と、
前記経路制御信号に基づいて、前記イヤホンプラグの経路を連通させるための第一連通モジュール６２２と、を含んでも良い。
【００５０】
本実施形態では、第一確定モジュール６１３は、さらに、前記第一比較モジュール６１２により、前記検出点の電圧値と予め設定された初期状態の電圧値とが同じでないとの結果を得た時に、前記イヤホンプラグの類型が前記初期状態に対応するイヤホンプラグの類型でないと確定するために用いられる。
【００５１】
該実施形態により、連通ユニット６２は、
前記イヤホンプラグの類型に基づいて、経路制御信号を生成するための第二生成モジュール６２３と、
前記経路制御信号に基づいて、前記イヤホンプラグの経路を切り替えるための切り替えモジュール６２４と、を含んでもよい。
【００５２】
ここで、第一検出モジュール６１１は、図８に示す回路により実現され得る。第一比較モジュール６１２は、演算増幅器及び比較器により構成されてもよく、例えば、図９に示す回路により実現され得る。経路スイッチ６３は、単極双投スイッチを採用してもよく、例えば、図１０に示す回路により実現され得る。しかし、本実施例は、これらに限定されず、例えば、ソフトウェアの方式で、本実施例の検出、比較、及び経路スイッチの機能を実現してもよい。
【００５３】
ここで、第一生成モジュール６２１及び第二生成モジュール６２３は、一つのモジュールにより実現されてもよく、第一連通モジュール６２２及び切り替えモジュール６２４は、一つのモジュールにより実現されてもよい。しかし、本実施例は、これらに限定されない。
【００５４】
本実施例のもう一つの実施形態により、図６Ｂに示すように、該判断ユニット６１は、
前記イヤホンプラグに接続される検出点の電圧値を検出するための第二検出モジュール６１４と、
前記検出点の電圧値と、予め設定された電圧値とイヤホンプラグの類型との対応関係とを比較するための第二比較モジュール６１５と、
前記第二比較モジュール６１５の比較結果に基づいて、前記イヤホンプラグの類型を確定するための第二確定モジュール６１６と、含んでもよい。
【００５５】
該実施形態により、連通ユニット６２は、
前記イヤホンプラグの類型に基づいて、経路制御信号を生成するための第三生成モジュール６２５と、
前記経路制御信号に基づいて、前記イヤホンプラグの経路を連通させるための第二連通モジュール６２６と、を含んでも良い。
【００５６】
本実施例による装置の各構成部分は、前述の実施例による方法の各ステップを実現するためにそれぞれ用いられる。なお、前述の方法の実施例では、各ステップについて詳細に説明したので、ここでは、その説明を省略する。
【００５７】
図７〜図１０は、回路により、本実施例による、有線イヤホンとの互換性を実現する装置を達成する実施形態であり、以下、それぞれ説明する。
【００５８】
図７は、端末装置のイヤホンジャック回路の回路図である。図７を参照する。イヤホンプラグは、イヤホンジャックのＪ端に挿入され、イヤホンジャックと連通される。Ｃはキャパシター、Ｌはインダクタンス、Ｒは抵抗、ＲＶは可変抵抗であり、なお、次の回路図では、同じ符号は同じ意味を表すので、その説明は省略される。ＨＳ＿ＭＩＣ＿ＤＥＴは、検出点の電圧を提供するために用いられ、ＨＳ＿ＭＩＣは、マイクロホンに接続するために用いられ、ＶＲＥＧ＿ＭＩＳＭＰは、基準電圧に接続するために用いられ、ＨＳ＿ＤＥＴは、イヤホンの挿入を検出するために用いられ、ＨＳ＿ＧＮＤは、グランドに接続するために用いられ、ＨＰＨ＿Ｌは、端末装置の左チャンネルに接続するために用いられ、ＨＰＨ＿Ｒは、端末装置の右チャンネルに接続するために用いられる。
【００５９】
図８は、イヤホンジャックピン回路の回路図である。図８を参照する。ＨＳ＿ＭＩＣ＿ＤＥＴは、図７におけるＨＳ＿ＭＩＣ＿ＤＥＴに接続され、検出点の電圧を取得するために用いられ、ＶＲＥＧ＿ＭＩＣ及びＭＩＣ＿ＢＩＡＳは、基準電圧にそれぞれ接続される。
【００６０】
図９は、比較回路の回路図である。図９を参照する。ＨＳ＿ＭＩＣ＿ＤＥＴは、図７におけるＨＳ＿ＭＩＣ＿ＤＥＴに接続され、検出点の電圧を取得するために用いられ、ＶＲＥＧ＿ＰＷＲは、電源に接続され、ＭＩＣ＿ＳＥＬは、該比較回路の出力であり、端末装置の制御チップ（chip）に接続され、ＶＲＥＧ＿ＲＥＦは、基準電圧に接続される。
【００６１】
図１０は、切り替え回路の回路図である。図１０を参照する。ピン１は、電源に接続するために用いられ、ピン２及びピン７は、端末装置のＭＩＣ信号に接続するために用いられ、ピン３は、イヤホンジャックのＭＩＣ端、例えば、図７に示すＨＳ＿ＭＩＣに接続するために用いられ、ピン４は、端末装置の制御チップに接続され、制御信号を受信するために用いられ、ピン５及びピン１０は、ベースバンドチップ(baseband  chip)ｍｉｃのリターン信号に接続するために用いられ、ピン６は、グランドに接続され、ピン４及びピン８は、スイッチ制御信号に接続され、ピン９は、イヤホン回路に接続するために用いられる。
【００６２】
上述したのは、本実施例による、有線イヤホンとの互換性を実現する装置の一つのハードウェアの実施形態のみである。しかし、本実施例は、これに限定されず、例えば、ソフトウェアにより実現されてもよく、或いは、他の回路により実現されてもよく、言い換えると、本実施例による、有線イヤホンとの互換性を実現する装置の各構成部分の機能を達成できるものであれば、その全ては、本発明の実施例の保護範囲に含まれている。
【００６３】
本実施例の装置により、端末装置に、２種類以上の異なる標準のイヤホンプラグとの互換性を持たせることができ、標準が異なって対応する経路が一致しないことによる、イヤホンの使用過程における問題を避けることができる。
【００６４】
図１１は、本発明の実施例による端末装置の構成ブロック図である。図１１を参照する。該端末装置は、自身の機能構成を含む他に、イヤホンジャック１１１及び有線イヤホンとの互換性を実現する装置１１２も含む。この有線イヤホンとの互換性を実現する装置１１２は、図６に示す実施例による、有線イヤホンとの互換性を実現する装置であってもよいので、ここでは、その説明を省略する。
【００６５】
本実施例では、端末装置は、コンピュータ、携帯電話、ＭＰ３、ＭＰ４、ＰＳＰなどであってもよい。
【００６６】
本実施例による端末装置は、２種類以上の異なる標準のイヤホンプラグとの互換性を有するので、標準が異なって対応する経路が一致しないことによる、イヤホンの使用過程における問題を避けることができる。
【００６７】
本文に開示の実施例に記載の方法及びアルゴリズムのステップは、ハードウェア、プロセッサにより実行されるソフトウェアモジュール、又は両者の組合せにより直接実施されてもよい。ソフトウェアモジュールは、ランダムアクセスメモリ（ＲＡＭ）、メモリ、読み出し専用メモリ（ＲＯＭ）、電気的にプログラム可能なＲＯＭ、電気的に消去及びプログラム可能なＲＯＭ、レジスタ、ハードディスク、リムーバブルディスク、ＣＤ−ＲＯＭ、又は該技術分野に公知の任意の他の形式の記憶媒体に記憶されてもよい。
【００６８】
以上に述べた具体的な実施形態では、本発明の目的、技術案、及び有益な効果についてより詳細に説明したが、理解すべきは、上述したのは、本発明の具体的な実施形態のみであり、本発明の保護範囲を限定するものではなく、本発明の精神及び原則の中に行われる任意の変更、代替、改善などによるものはすべて本発明の保護範囲に含まれることである。
【図１】
2013516808.tif 000003
【図２】
2013516808.tif 000004
【図３】
2013516808.tif 000005
【図４】
2013516808.tif 000006
【図５】
2013516808.tif 000007
【図６Ａ】
2013516808.tif 000008
【図６Ｂ】
2013516808.tif 000009
【図７】
2013516808.tif 000010
【図８】
2013516808.tif 000011
【図９】
2013516808.tif 000012
【図１０】
2013516808.tif 000013
【図１１】
2013516808.tif 000014
【手続補正書】
【提出日】平成24年7月23日(2012.7.23)
【手続補正１】
【補正対象書類名】明細書
【補正対象項目名】全文
【補正方法】変更
【補正の内容】
【発明の詳細な説明】
【技術分野】
【０００１】
本発明は、イヤホンジャックに関し、特に、有線イヤホンとの互換性を実現する方法及び装置に関する。
【背景技術】
【０００２】
今のところ、多くの端末装置、例えば、コンピュータ、携帯電話、ＭＰ３、ＭＰ４、ＰＳＰなどには、イヤホンを挿入するためのイヤホンジャックがあり、これにより、上述の端末装置に記憶のオーディオファイルは、イヤホンで再生される。
【０００３】
本発明の実現過程では、イヤホンプラグの構造及びサイズが同じであるが、イヤホンが当面、２種類のインターフェース標準を有し、上述の端末装置が一般的に１種類のインターフェース標準のイヤホンのみをサポートできるということが判明した。図１は、従来のイヤホンプラグの構造を示す図である。図１に示すように、そのうち１種類の標準のイヤホンは、チップが左チャンネルに接続され、リング１が右チャンネルに接続され、リング２がマイクロホンに接続され、尾端（スリーブ）が信号回路に接続され、他の種類の標準のイヤホンは、チップが左チャンネルに接続され、リング１が右チャンネルに接続され、リング２が信号回路に接続され、尾端がマイクロホンに接続される。図２は、従来の端末装置のイヤホンジャックの配線を示す図である。図２に示すように、１は左チャンネルに接続され、２は右チャンネルに接続され、３はマイクロホン又は信号回路に接続され、４は信号回路又はマイクロホンに接続され、５は外殻に接続される。図１及び図２から分かるように、端末装置のイヤホンジャックの定義とイヤホンプラグの定義とが異なる時に、即ち、イヤホンプラグのマイクロホン（ＭＩＣ）が端末装置の信号回路（ＧＮＤ）に接続され、イヤホンプラグの信号回路（ＧＮＤ）が端末装置のマイクロホン（ＭＩＣ）に接続される時に、次の２種類の状況を引き起こすおそれがある。
【０００４】
１、イヤホンの左右の音量が小さくなり、且つ歪みが発生する。
【０００５】
２、イヤホンのマイクロホンが機能しない。
【発明の概要】
【発明が解決しようとする課題】
【０００６】
本発明の実施例は、端末装置が２種類の異なる標準のイヤホンと互換性がないという技術問題を解決するために、有線イヤホンとの互換性を実現する方法及び装置を提供する。
【課題を解決するための手段】
【０００７】
一側面では、本発明の実施例は、有線イヤホンとの互換性を実現する方法を提供する。前記方法は、イヤホンプラグの類型を判断し、及び、前記イヤホンプラグの類型に基づいて、前記イヤホンプラグの類型に対応する経路を連通させるよう経路スイッチを制御するステップを含む。
【０００８】
他の側面では、本発明の実施例は、有線イヤホンとの互換性を実現する装置を提供する。前記装置は、イヤホンプラグの類型を判断するための判断ユニットと、前記イヤホンプラグの類型に基づいて、前記イヤホンプラグの類型に対応する経路を連通させるよう経路スイッチを制御するための連通ユニットと、前記連通ユニットの制御に基づいて、前記イヤホンプラグの類型に対応する経路を連通させるための経路スイッチと、を含む。
【０００９】
もう一つの側面では、本発明の実施例は、端末装置も提供する。前記端末装置は、前述の、有線イヤホンとの互換性を実現する装置を含む。
【００１０】
本発明の実施例による方法及び装置により、端末装置に、２種類の異なる標準のイヤホンとの互換性を持たせることができる。
【図面の簡単な説明】
【００１１】
ここで説明する図面は、本発明への更なる理解のために提供されるものであり、本出願の一部を構成するが、本発明を限定するものでない。
【図１】従来のイヤホンプラグの構造を示す図である。
【図２】従来の端末装置のイヤホンジャックの配線を示す図である。
【図３】本発明の実施例による方法のフローチャートである。
【図４】本発明の実施例による方法においてイヤホンプラグの類型を判断する一つの実施例のフローチャートである。
【図５】本発明の実施例による方法においてイヤホンプラグの類型を判断するもう一つの実施例のフローチャートである。
【図６Ａ】本発明の実施例による装置の構成ブロック図である。
【図６Ｂ】本発明の実施例による装置の構成ブロック図である。
【図７】端末装置のイヤホンジャック回路の回路図である。
【図８】端末装置のイヤホンジャックピン回路の回路図である。
【図９】端末装置の比較回路の回路図である。
【図１０】端末装置の切り替え回路の回路図である。
【図１１】本発明の実施例による端末装置の構成ブロック図である。
【発明を実施するための形態】
【００１２】
本発明の目的、技術案、及び利点をより明らかにするために、以下、実施形態及び図面を参照しながら、本発明をより詳細に説明する。なお、本発明の例示的な実施形態及びその説明は、本発明を解釈するためのものであるが、本発明を限定するものでない。
【００１３】
図３は、本発明の実施例による、有線イヤホンとの互換性を実現する方法のフローチャートである。該方法は、イヤホンジャックを有する端末装置に応用され得る。図３を参照する。該方法は、次のステップを含む。
【００１４】
３０１：イヤホンプラグの類型を判断する。
【００１５】
本実施例では、イヤホンプラグの類型は、イヤホンプラグのインターフェース標準であり、今のところ、背景技術に述べたように２種類があるが、本実施例は、これに限定されず、技術の発展に伴い、本実施例による方法は、イヤホンプラグの類型が多種類である場合にも適用される。
【００１６】
本実施例では、イヤホンプラグは、端末装置のイヤホンジャックに挿入され、端末装置としては、そのイヤホンジャックに挿入されているイヤホンプラグの類型を判断する必要がある。本実施例では、イヤホンプラグの類型を判断する方法としてはたくさんあり、他の実施例に具体的に紹介されるが、本実施例は、これに限定されない。
【００１７】
３０２：イヤホンプラグの類型に基づいて、前記イヤホンプラグの類型に対応する経路を連通させるよう経路スイッチを制御する。
【００１８】
本実施例では、イヤホンプラグの類型（インターフェース標準）は異なり、イヤホンプラグの各部分に対応する端末装置の経路も異なる。チップが左チャンネルに接続され、リング１が右チャンネルに接続され、リング２がマイクロホンに接続され、尾端が信号回路に接続されるイヤホンプラグについては、本実施例の方法により、端末装置のＬ／Ｒ／Ｍ／ＧＮＤの経路を連通させる必要がある。チップが左チャンネルに接続され、ラング１が右チャンネルに接続され、リング２が信号回路に接続され、尾端がマイクロホンに接続されるイヤホンプラグについては、本実施例の方法により、端末装置のＬ／Ｒ／ＧＮＤ／Ｍの経路を連通させる必要がある。
【００１９】
本実施例では、イヤホンプラグの類型の判断方法の違いに基づいて、前記イヤホンプラグの類型に対応する経路を連通させるための異なる方法を採用しており、これも、他の実施例に説明される。
【００２０】
本実施例の方法により、端末装置に、各種類の異なる標準のイヤホンとの互換性を持たせることができる。これにより、イヤホンの標準が異なることによる、イヤホンの左右の音量が小さくなり、歪みが発生し、及び、イヤホンのマイクロホンが機能しないといった問題を避けることができる。
【００２１】
図４は、本発明の実施例による、有線イヤホンとの互換性を実現する方法において、イヤホンプラグの類型を判断する一つの実施例のフローチャートである。図４を参照する。該方法は、次のステップを含む。
【００２２】
４０１：イヤホンプラグに接続される検出点の電圧値を検出する。
【００２３】
４０２：前記検出点の電圧値と予め設定された初期状態の電圧値とを比較する。
【００２４】
４０３：前記検出点の電圧値と予め設定された初期状態の電圧値とが同じであれば、前記イヤホンプラグの類型が前記初期状態に対応するイヤホンプラグの類型であると確定する。
【００２５】
４０４：前記検出点の電圧値と予め設定された初期状態の電圧値とが同じでなければ、前記イヤホンプラグの類型が前記初期状態に対応するイヤホンプラグの類型でないと確定する。
【００２６】
本実施例では、前記検出点の電圧値と予め設定された初期状態の電圧値とが同じであれば、前記イヤホンプラグの類型に基づいて、前記イヤホンプラグに対応する経路を連通させるよう経路スイッチを制御することは、次のステップを含んでもよい。
【００２７】
４０５：前記イヤホンプラグの類型に基づいて、経路制御信号を生成する。
【００２８】
４０６：前記経路制御信号に基づいて、前記イヤホンプラグに対応する経路を連通させる。
【００２９】
本実施例では、前記検出点の電圧値と予め設定された初期状態の電圧値とが同じでなければ、前記イヤホンプラグの類型に基づいて、前記イヤホンプラグに対応する経路を連通させるよう経路スイッチを制御することは、次のステップを含んでもよい。
【００３０】
４０７：前記イヤホンプラグの類型に基づいて、経路制御信号を生成する。
【００３１】
４０８：前記経路制御信号に基づいて、前記イヤホンプラグの経路を切り替える。
【００３２】
本実施例では、初期状態の電圧値を予め設置しても良く、かつ、該初期状態の電圧値に従って１種類のイヤホンプラグに対応する経路を予め設定してもよい。本実施例の方法により、検出点の電圧値と予め設定された初期状態の電圧値とが同じであると検出した時に、イヤホンジャックに挿入されているイヤホンプラグが予め設置された初期状態に対応するイヤホンプラグの類型と同じであることを意味し、この時は、経路スイッチに一つの所定の状態値を与えることで、該経路スイッチにより、該初期状態に対応するイヤホンプラグの類型に対応するイヤホンプラグの経路を連通させることができる。本実施例の方法により、検出点の電圧値と予め設定された初期状態の電圧値とが同じでないと検出した時に、即ち、検出点の電圧値が予め設定された初期状態の電圧値に対して変化していると検出した時に、イヤホンジャックに挿入されているイヤホンプラグが予め設置された初期状態に対応するイヤホンプラグの類型と同じでないことを意味し、この時は、経路スイッチにもう一つの所定の状態値を与えることで、例えば、経路スイッチを反転させることで、経路スイッチにより、前記初期状態に対応するイヤホンプラグの類型に対応するイヤホンプラグの経路を切り替えることができる。
【００３３】
本実施例では、経路スイッチは単極双投スイッチであってもよいが、本実施例はこれに限定されない。該経路スイッチは、検出された状態の違い、即ち、受信した経路制御信号に基づいて、イヤホンプラグの経路がＬ／Ｒ／Ｍ／ＧＮＤ又はＬ／Ｒ／ＧＮＤ／Ｍであるよう制御する。
【００３４】
本実施例の方法により、端末装置に、２種類の異なる標準のイヤホンプラグとの互換性を持たせることができ、これにより、標準が異なって対応する経路が一致しないことによる、イヤホンの使用過程における問題を避けることができる。
【００３５】
図５は、本発明の実施例による、有線イヤホンとの互換性を実現する方法において、イヤホンプラグの類型を判断するもう一つの実施例のフローチャートである。図５を参照する。該方法は、次のステップを含む。
【００３６】
５０１：前記イヤホンプラグに接続される検出点の電圧値を検出する。
【００３７】
５０２：前記検出点の電圧値と、イヤホンプラグの類型に対応している、予め設定された電圧値とを比較する。
【００３８】
５０３：前記検出点の電圧値と、予め設定された電圧値とイヤホンプラグの類型との対応関係とに基づいて、前記イヤホンプラグの類型を確定する。
【００３９】
本実施例では、上述の方法によりイヤホンプラグの類型を確定した後に、前記イヤホンプラグの類型に基づいて、前記イヤホンプラグの類型に対応する経路を連通させるよう経路スイッチを制御することは、次のステップを含んでもよい。
【００４０】
５０４：前記イヤホンプラグの類型に基づいて、経路制御信号を生成する。
【００４１】
５０５：前記経路制御信号に基づいて、前記イヤホンプラグの経路を連通させる。
【００４２】
本実施例では、電圧値とイヤホンプラグの類型との対応関係を予め設定してもよく、そして、検出された電圧値に基づいて、該イヤホンプラグの類型を確定する。ここで、電圧値は、電圧値の範囲であってもよく、例えば、範囲１を第一種類の標準に対応させるように設定し、範囲２を第二種類の標準に対応させるように設定し、範囲３を第三種類の標準に対応させるように設定するイヤホンについては、検出された電圧値が範囲２に位置する時に、該イヤホンが第二種類の標準に属すると確定する。
【００４３】
本実施例では、各種類の標準のイヤホンは１種類の経路に対応し、本実施例の方法により、イヤホンプラグの類型を確定した後に、これに基づいて経路制御信号を生成することができる。例えば、第一種類の標準のイヤホンが経路Ａに対応し、第二種類の標準のイヤホンが経路Ｂに対応し、第三種類の標準のイヤホンが経路Ｃに対応すれば、前述の検出及び比較によって該イヤホンが第二種類の標準に属するので、本実施例の方法により、生成された経路制御信号は、経路Ｂに切り替えるものである。
【００４４】
本実施例では、上述の経路制御信号を取得していると、経路スイッチは、対応する経路、例えば、前述の例の中の経路Ｂを連通させることができる。
【００４５】
本実施例の方法により、端末装置に、２種類以上の異なる標準のイヤホンプラグとの互換性を持たせることができ、これにより、標準が異なって経路が一致しないことによる、イヤホンの使用過程における問題を避けることができる。
【００４６】
図６Ａ及び図６Ｂは、本発明の実施例による、有線イヤホンとの互換性を実現する装置の構成ブロック図である。該装置は、イヤホンジャックを有する端末装置に応用されてもよい。図６Ａ及び図６Ｂを参照する。該装置は、
イヤホンプラグの類型を判断するための判断ユニット６１と、
前記イヤホンプラグの類型に基づいて、前記イヤホンプラグの類型に対応する経路を連通させるよう経路スイッチを制御するための連通ユニット６２と、
前記連通ユニット６２の制御に基づいて、前記イヤホンプラグの類型に対応する経路を連通させるための経路スイッチ６３と、を含む。
【００４７】
本実施例の一つの実施形態により、図６Ａに示すように、該判断ユニット６１は、
前記イヤホンプラグに接続される検出点の電圧値を検出するための第一検出モジュール６１１と、
前記検出点の電圧値と、予め設定された初期状態の電圧値とを比較するための第一比較モジュール６１２と、
前記第一比較モジュール６１２により、前記検出点の電圧値と予め設定された初期状態の電圧値とが同じであるとの比較結果を得た時に、前記イヤホンプラグの類型が前記初期状態に対応するイヤホンプラグの類型であると確定するための第一確定モジュール６１３と、を含んでもよい。
【００４８】
該実施形態により、連通ユニット６２は、
前記イヤホンプラグの類型に基づいて、経路制御信号を生成するための第一生成モジュール６２１と、
前記経路制御信号に基づいて、前記イヤホンプラグの経路を連通させるための第一連通モジュール６２２と、を含んでも良い。
【００４９】
本実施形態では、第一確定モジュール６１３は、さらに、前記第一比較モジュール６１２により、前記検出点の電圧値と予め設定された初期状態の電圧値とが同じでないとの結果を得た時に、前記イヤホンプラグの類型が前記初期状態に対応するイヤホンプラグの類型でないと確定するために用いられる。
【００５０】
該実施形態により、連通ユニット６２は、
前記イヤホンプラグの類型に基づいて、経路制御信号を生成するための第二生成モジュール６２３と、
前記経路制御信号に基づいて、前記イヤホンプラグの経路を切り替えるための切り替えモジュール６２４と、を含んでもよい。
【００５１】
ここで、第一検出モジュール６１１は、図８に示す回路により実現され得る。第一比較モジュール６１２は、演算増幅器及び比較器により構成されてもよく、例えば、図９に示す回路により実現され得る。経路スイッチ６３は、単極双投スイッチを採用してもよく、例えば、図１０に示す回路により実現され得る。しかし、本実施例は、これらに限定されず、例えば、ソフトウェアの方式で、本実施例の検出、比較、及び経路スイッチの機能を実現してもよい。
【００５２】
ここで、第一生成モジュール６２１及び第二生成モジュール６２３は、一つのモジュールにより実現されてもよく、第一連通モジュール６２２及び切り替えモジュール６２４は、一つのモジュールにより実現されてもよい。しかし、本実施例は、これらに限定されない。
【００５３】
本実施例のもう一つの実施形態により、図６Ｂに示すように、該判断ユニット６１は、
前記イヤホンプラグに接続される検出点の電圧値を検出するための第二検出モジュール６１４と、
前記検出点の電圧値と、イヤホンプラグの類型に対応している、予め設定された電圧値とを比較するための第二比較モジュール６１５と、
前記第二比較モジュール６１５の比較結果に基づいて、前記イヤホンプラグの類型を確定するための第二確定モジュール６１６と、含んでもよい。
【００５４】
該実施形態により、連通ユニット６２は、
前記イヤホンプラグの類型に基づいて、経路制御信号を生成するための第三生成モジュール６２５と、
前記経路制御信号に基づいて、前記イヤホンプラグの経路を連通させるための第二連通モジュール６２６と、を含んでも良い。
【００５５】
本実施例による装置の各構成部分は、前述の実施例による方法の各ステップを実現するためにそれぞれ用いられる。なお、前述の方法の実施例では、各ステップについて詳細に説明したので、ここでは、その説明を省略する。
【００５６】
図７〜図１０は、回路により、本実施例による、有線イヤホンとの互換性を実現する装置を達成する実施形態であり、以下、それぞれ説明する。
【００５７】
図７は、端末装置のイヤホンジャック回路の回路図である。図７を参照する。イヤホンプラグは、イヤホンジャックのＪ端に挿入され、イヤホンジャックと連通される。Ｃはキャパシター、Ｌはインダクタンス、Ｒは抵抗、ＲＶは可変抵抗であり、なお、次の回路図では、同じ符号は同じ意味を表すので、その説明は省略される。ＨＳ＿ＭＩＣ＿ＤＥＴは、検出点の電圧を提供するために用いられ、ＨＳ＿ＭＩＣは、マイクロホンに接続するために用いられ、ＶＲＥＧ＿ＭＩＳＭＰは、基準電圧に接続するために用いられ、ＨＳ＿ＤＥＴは、イヤホンの挿入を検出するために用いられ、ＨＳ＿ＧＮＤは、グランドに接続するために用いられ、ＨＰＨ＿Ｌは、端末装置の左チャンネルに接続するために用いられ、ＨＰＨ＿Ｒは、端末装置の右チャンネルに接続するために用いられる。
【００５８】
図８は、イヤホンジャックピン回路の回路図である。図８を参照する。ＨＳ＿ＭＩＣ＿ＤＥＴは、図７におけるＨＳ＿ＭＩＣ＿ＤＥＴに接続され、検出点の電圧を取得するために用いられ、ＶＲＥＧ＿ＭＩＣ及びＭＩＣ＿ＢＩＡＳは、基準電圧にそれぞれ接続される。
【００５９】
図９は、比較回路の回路図である。図９を参照する。ＨＳ＿ＭＩＣ＿ＤＥＴは、図７におけるＨＳ＿ＭＩＣ＿ＤＥＴに接続され、検出点の電圧を取得するために用いられ、ＶＲＥＧ＿ＰＷＲは、電源に接続され、ＭＩＣ＿ＳＥＬは、該比較回路の出力であり、端末装置の制御チップ（chip）に接続され、ＶＲＥＧ＿ＲＥＦは、基準電圧に接続される。
【００６０】
図１０は、切り替え回路の回路図である。図１０を参照する。ピン１は、電源に接続するために用いられ、ピン２及びピン７は、端末装置のＭＩＣ信号に接続するために用いられ、ピン３は、イヤホンジャックのＭＩＣ端、例えば、図７に示すＨＳ＿ＭＩＣに接続するために用いられ、ピン４は、端末装置の制御チップに接続され、制御信号を受信するために用いられ、ピン５及びピン１０は、ベースバンドチップ(baseband  chip)ｍｉｃのリターン信号に接続するために用いられ、ピン６は、グランドに接続され、ピン４及びピン８は、スイッチ制御信号に接続され、ピン９は、イヤホン回路に接続するために用いられる。
【００６１】
上述したのは、本実施例による、有線イヤホンとの互換性を実現する装置の一つのハードウェアの実施形態のみである。しかし、本実施例は、これに限定されず、例えば、ソフトウェアにより実現されてもよく、或いは、他の回路により実現されてもよく、言い換えると、本実施例による、有線イヤホンとの互換性を実現する装置の各構成部分の機能を達成できるものであれば、その全ては、本発明の実施例の保護範囲に含まれている。
【００６２】
本実施例の装置により、端末装置に、２種類以上の異なる標準のイヤホンプラグとの互換性を持たせることができ、標準が異なって対応する経路が一致しないことによる、イヤホンの使用過程における問題を避けることができる。
【００６３】
図１１は、本発明の実施例による端末装置の構成ブロック図である。図１１を参照する。該端末装置は、自身の機能構成を含む他に、イヤホンジャック１１１及び有線イヤホンとの互換性を実現する装置１１２も含む。この有線イヤホンとの互換性を実現する装置１１２は、図６に示す実施例による、有線イヤホンとの互換性を実現する装置であってもよいので、ここでは、その説明を省略する。
【００６４】
本実施例では、端末装置は、コンピュータ、携帯電話、ＭＰ３、ＭＰ４、ＰＳＰなどであってもよい。
【００６５】
本実施例による端末装置は、２種類以上の異なる標準のイヤホンプラグとの互換性を有するので、標準が異なって対応する経路が一致しないことによる、イヤホンの使用過程における問題を避けることができる。
【００６６】
本文に開示の実施例に記載の方法及びアルゴリズムのステップは、ハードウェア、プロセッサにより実行されるソフトウェアモジュール、又は両者の組合せにより直接実施されてもよい。ソフトウェアモジュールは、ランダムアクセスメモリ（ＲＡＭ）、メモリ、読み出し専用メモリ（ＲＯＭ）、電気的にプログラム可能なＲＯＭ、電気的に消去及びプログラム可能なＲＯＭ、レジスタ、ハードディスク、リムーバブルディスク、ＣＤ−ＲＯＭ、又は該技術分野に公知の任意の他の形式の記憶媒体に記憶されてもよい。
【００６７】
以上に述べた具体的な実施形態では、本発明の目的、技術案、及び有益な効果についてより詳細に説明したが、理解すべきは、上述したのは、本発明の具体的な実施形態のみであり、本発明の保護範囲を限定するものではなく、本発明の精神及び原則の中に行われる任意の変更、代替、改善などによるものはすべて本発明の保護範囲に含まれることである。
【手続補正２】
【補正対象書類名】特許請求の範囲
【補正対象項目名】全文
【補正方法】変更
【補正の内容】
【特許請求の範囲】
【請求項１】
有線イヤホンとの互換性を実現する方法であって、
イヤホンプラグの類型を判断し、及び
前記イヤホンプラグの類型に基づいて、前記イヤホンプラグの類型に対応する経路を連通させるよう経路スイッチを制御するステップを含むことを特徴とする方法。
【請求項２】
イヤホンプラグの類型を判断するステップは、
前記イヤホンプラグに接続される検出点の電圧値を検出し、及び
前記検出点の電圧値が予め設定された初期状態の電圧値と同じであれば、前記イヤホンプラグの類型が前記初期状態に対応するイヤホンプラグの類型であると確定するステップを含む、
ことを特徴とする請求項１に記載の方法。
【請求項３】
前記イヤホンプラグの類型に基づいて、前記イヤホンプラグの類型に対応する経路を連通させるよう経路スイッチを制御するステップは、
前記イヤホンプラグの類型に基づいて、経路制御信号を生成し、及び
前記経路制御信号に基づいて、前記イヤホンプラグの経路を連通させるステップを含む、
ことを特徴とする請求項２に記載の方法。
【請求項４】
イヤホンプラグの類型を判断するステップは、さらに、
前記検出点の電圧値が予め設定された初期状態の電圧値と同じでなければ、前記イヤホンプラグの類型が前記初期状態に対応するイヤホンプラグの類型でないと確定するステップを含む、
ことを特徴とする請求項２又は３に記載の方法。
【請求項５】
前記イヤホンプラグの類型に基づいて、前記イヤホンプラグの類型に対応する経路を連通させるよう経路スイッチを制御するステップは、
前記イヤホンプラグの類型に基づいて、経路制御信号を生成し、及び
前記経路制御信号に基づいて、前記イヤホンプラグの経路を切り替えるステップを含む、
ことを特徴とする請求項４に記載の方法。
【請求項６】
イヤホンプラグの類型を判断するステップは、
前記イヤホンプラグに接続される検出点の電圧値を検出し、及び
前記検出点の電圧値と、予め設定された、電圧値とイヤホンプラグの類型との対応関係とに基づいて、前記イヤホンプラグの類型を確定するステップを含む、
ことを特徴とする請求項１に記載の方法。
【請求項７】
前記イヤホンプラグの類型に基づいて、前記イヤホンプラグの類型に対応する経路を連通させるよう経路スイッチを制御するステップは、
前記イヤホンプラグの類型に基づいて、経路制御信号を生成し、及び
前記経路制御信号に基づいて、前記イヤホンプラグの経路を連通させるステップを含む、
ことを特徴する請求項６に記載の方法。
【請求項８】
有線イヤホンとの互換性を実現する装置であって、
イヤホンプラグの類型を判断するための判断ユニットと、
前記イヤホンプラグの類型に基づいて、前記イヤホンプラグの類型に対応する経路を連通させるよう経路スイッチを制御するための連通ユニットと、
前記連通ユニットの制御に基づいて、前記イヤホンプラグの類型に対応する経路を連通させるための前記経路スイッチと、を含む、
ことを特徴とする装置。
【請求項９】
前記判断ユニットは、
前記イヤホンプラグに接続される検出点の電圧値を検出するための検出モジュールと、
前記検出点の電圧値と予め設定された初期状態の電圧値とを比較するための比較モジュールと、
前記比較モジュールにより、前記検出点の電圧値と予め設定された初期状態の電圧値とが同じであるとの比較結果を得たときに、前記イヤホンプラグの類型が前記初期状態に対応するイヤホンプラグの類型であると確定するための確定モジュールと、を含む、
ことを特徴とする請求項８に記載の装置。
【請求項１０】
前記連通ユニットは、
前記イヤホンプラグの類型に基づいて、経路制御信号を生成するための生成モジュールと、
前記経路制御信号に基づいて、前記イヤホンプラグの経路を連通させるための連通モジュールと、を含む、
ことを特徴とする請求項９に記載の装置。
【請求項１１】
前記確定モジュールは、さらに、前記比較モジュールにより、前記検出点の電圧値と予め設定された初期状態の電圧値とが同じでないとの比較結果を得たときに、前記イヤホンプラグの類型が前記初期状態に対応するイヤホンプラグの類型でないと確定するために用いられる、
ことを特徴とする請求項９又は１０に記載の装置。
【請求項１２】
前記連通ユニットは、
前記イヤホンプラグの類型に基づいて、経路制御信号を生成するための生成モジュールと、
前記経路制御信号に基づいて、前記イヤホンプラグの経路を切り替えるための切り替えモジュールと、を含む、
ことを特徴とする請求項１１に記載の装置。
【請求項１３】
前記判断ユニットは、
前記イヤホンプラグに接続される検出点の電圧値を検出するための検出モジュールと、
前記検出点の電圧値と、イヤホンプラグの類型に対応している、予め設定された電圧値とを比較するための比較モジュールと、
前記比較モジュールの比較結果に基づいて、前記イヤホンプラグの類型を確定するための確定モジュールと、を含む、
ことを特徴とする請求項８に記載の装置。
【請求項１４】
前記連通ユニットは、
前記イヤホンプラグの類型に基づいて、経路制御信号を生成するための生成モジュールと、
前記経路制御信号に基づいて、前記イヤホンプラグの経路を連通させるための連通モジュールと、を含む、
ことを特徴とする請求項１３に記載の装置。
【請求項１５】
端末装置であって、
イヤホンジャックと、
異なる類型のイヤホンプラグにそれぞれ対応する少なくとも二つの経路と、
請求項８乃至１４の何れか１項に記載の有線イヤホンとの互換性を実現する装置と、含む、
ことを特徴する端末装置。
【国際調査報告】
2013516808.tif 000015
2013516808.tif 000016
2013516808.tif 000017
2013516808.tif 000018
2013516808.tif 000019
2013516808.tif 000020